(57)【要約】【課題】浄水装置に活性炭を用いた場合、巨大な活性炭塔が必要であり、必ず水道（みずみち）が出現した。【解決手段】本発明は、●パイプに活性炭を隙間無く充填し（活性炭パイプ）、●活性炭パイプ先端から終端まで径が同じとし、●水平方向の活性炭パイプが無くしたことで、少量活性炭で要求された量の有機化合物類の除去を水道（みずみち）出現無しで実現した。【選択図】図１
2005111457.tif 000002
【特許請求の範囲】
【請求項１】
最初に設置された、活性炭が充填されたパイプ（以下“活性炭パイプ”と呼ぶ）の先端にある原水の流入口から上向きに６０度から７０度までの間のある角度を持った活性炭パイプはある長さに達したらＵ字型に折り返し次は下向きで６０度から７０度までの間のある角度を持った活性炭パイプになりこれもある長さに達したら再びＵ字型に折り返し上向き６０度から７０度までの間のある角度を持った活性炭パイプに繋がっていく、この活性炭パイプの上向き６０度から７０度までの間のある角度、下向き６０度から７０度までの間のある角度を繰り返し最後の活性炭パイプの終端から出水する構造を持つことを特長とする活性炭水路。
【請求項２】
最初に設置された活性炭パイプの先端にある原水の流入口から下向きに６０度から７０度までの間のある角度を持った活性炭パイプはある長さに達したらＵ字型に折り返し次は上向きで６０度から７０度までの間のある角度を持った活性炭パイプになりこれもある長さに達したら再びＵ字型に折り返し下向き６０度から７０度までの間のある角度を持った活性炭パイプに繋がっていく、この活性炭パイプの下向き６０度から７０度までの間のある角度、上向き６０度から７０度までの間のある角度を繰り返し最後の活性炭パイプの終端から出水する構造を持つことを特長とする活性炭水路。
【請求項３】
最初に設置された活性炭パイプの先端にある原水の流入口から垂直に上がる活性炭パイプはある長さに達したらＵ字型に折り返し次は真下に下がる活性炭パイプになりこれもある長さに達したら再びＵ字型に折り返し垂直に上がる活性炭パイプに繋がっていく、この活性炭パイプの垂直上昇、真下下降を繰り返し最後の活性炭パイプの終端から出水する構造を持つことを特長とする活性炭水路。
【請求項４】
最初に設置された活性炭パイプの片方にある原水の流入口から真下に下がる活性炭パイプはある長さに達したらＵ字型に折り返し次は垂直に上がる活性炭パイプになりこれもある長さに達したら再びＵ字型に折り返し真下に下がる活性炭パイプに繋がっていく、この活性炭パイプの真下下降、垂直上昇を繰り返し最後の活性炭パイプの終端から出水する構造を持つことを特長とする活性炭水路。
【請求項５】
最初に設置された活性炭パイプの先端にある原水の流入口から上向きにある任意の角度・方向を持った活性炭パイプはある長さに達したらＵ字型に折り返し次は下向きである任意の角度・方向を持った活性炭パイプに繋がりこれもある長さに達したら再びＵ字型に折り返し上向きである任意の角度・方向を持った活性炭パイプに繋がっていく、この活性炭パイプのある任意の角度・方向で上向き、ある任意の角度・方向で下向きを繰り返し最後の活性炭パイプの終端から出水する構造を持つことを特長とする活性炭水路。
【請求項６】
最初に設置された活性炭パイプの先端にある原水の流入口から下向きにある任意の角度・方向を持った活性炭パイプはある長さに達したらＵ字型に折り返し次は上向きである任意の角度・方向を持った活性炭パイプに繋がりこれもある長さに達したら再びＵ字型に折り返し下向きである任意の角度・方向を持った活性炭パイプに繋がっていく、この活性炭パイプのある任意の角度・方向で下向き、ある任意の角度・方向で上向きを繰り返し最後の活性炭パイプの終端から出水する構造を持つことを特長とする活性炭水路。
【請求項７】
最初に設置された活性炭パイプの先端にある原水の流入口からある特定の方向にこの活性炭パイプは向き、ある長さに達したら前とは別のある特定の方向に向きを変え、さらにある長さに達したらまた別のある特定の方向に向きを変え、これらを連続して活性炭パイプを繋いでいくことである特定の形を作り最後の活性炭パイプの終端から出水する構造を持つことを特長とする活性炭水路。
【発明の詳細な説明】
【発明の詳細な説明】
【技術分野】
【０００１】  活性炭が有する有機化合物類を吸着する能力を向上させる技術分野。
【背景技術】
【０００２】  従来、有機化合物類を活性炭で吸着除去しようとする時、この吸着能力向上を図るには使用活性炭の量を増加させる方法しか無く、巨大な活性炭塔を必要としかつ流入口と流出口を最短距離で通過しようとする“水道（みずみち）”が出現していた。
【発明が解決しようとする課題】
【０００３】  本発明は有機化合物類吸着に要する活性炭量の低減と水道（みずみち）が出現しない活性炭使用法。
【課題を解決するための手段】
【０００４】  請求項１から請求項７に示す本発明における活性炭使用量と低減と水道（みずみち）出現防止のために共通する手段は、●パイプに活性炭を隙間無く充填したこと（活性炭パイプ）、●活性炭パイプ先端から終端まで径が同じであること、●水平方向の活性炭パイプが無いこと、である。
【発明の作用】
【０００５】  このことで、活性炭パイプ先端の流入口から流入した水は、充填されている活性炭全量に接触しながら出水口に向かうことを強制され必然的に水道（みずみち）は出現出来ず、活性炭界面全面に有機化合物類が吸着されることになる。
【０００６】  充填されている活性炭界面全面への有機化合物類吸着が水道（みずみち）出現無しで可能になったことで、同じ吸着量であれば従来の方法より少ない活性炭量で済ませる事が出来る。
【発明の実施例】
【０００７】  図１が、本発明の基本概念である。
【発明の効果】
【０００８】  水に含まれる有害な有機化合物類を除去し安全な水を得るためには活性炭は有効な素材であるにも関わらず、工夫が無い旧態以前の方法でしか使用されていないために活性炭の能力が充分に活かされていなかった。
本発明によって高濃度に汚染された水を飲料水レベルの水質まで少量の活性炭で浄水することが可能になった。
【図面の簡単な説明】
【図１】  本発明の基本概念を示す。  １：流入口  ２：出水口  ３：活性炭パイプ
【図１】
2005111457.tif 000003
【図２】
2005111457.tif 000004
【図３】
2005111457.tif 000005
【図４】
2005111457.tif 000006
【手続補正書】
【提出日】平成16年1月8日(2004.1.8)
【手続補正１】
【補正対象書類名】明細書
【補正対象項目名】全文
【補正方法】変更
【補正の内容】
【発明の詳細な説明】
【技術分野】
【０００１】活性炭が有する有機化合物類を吸着する能力を向上させる技術分野。
【背景技術】
【０００２】従来、有機化合物類を活性炭で吸着除去しようとする時、この吸着能力向上を図るには使用活性炭の量を増加させる方法しか無く、巨大な活性炭塔を必要としかつ流入口と流出口を最短距離で通過しようとする“水道（みずみち）”が出現していた。
【発明が解決しようとする課題】
【０００３】本発明は有機化合物類吸着に要する活性炭量の低減と水道（みずみち）が出現しな
【課題を解決するための手段】
【０００４】請求項１から請求項７に示す本発明における活性炭使用量と低減と水道（みずみち）出現防止のために共通する手段は、●パイプに活性炭を隙間無く充填したこと（活性炭パイプ）、●活性炭パイプ先端から終端まで径が同じであること、●水平方向の活性炭パイプが無いこと、である。
【発明の作用】
【０００５】このことで、活性炭パイプ先端の流入口から流入した水は、充填されている活性炭全量に接触しながら出水口に向かうことを強制され必然的に水道（みずみち）は出現出来ず、活性炭界面全面に有機化合物類が吸着されることになる。
【０００６】充填されている活性炭界面全面への有機化合物類吸着が水道（みずみち）出現無しで可能になったことで、同じ吸着量であれば従来の方法より少ない活性炭量で済ませる事が出来る。
【発明の実施例】
【０００７】図１が、本発明の基本概念である。
【発明の効果】
【０００８】水に含まれる有害な有機化合物類を除去し安全な水を得るためには活性炭は有効な素材であるにも関わらず、工夫が無い旧態以前の方法でしか使用されていないために活性炭の能力が充分に活かされていなかった。
本発明によって高濃度に汚染された水を飲料水レベルの水質まで少量の活性炭で浄水することが可能になった。
【図面の簡単な説明】
【０００９】
【図１】流入した水が、垂直方向ではなくある角度で最初上昇流となる水路
【図２】流入した水が、垂直方向ではなくある角度で最初下降流となる水路
【図３】流入した水が、垂直方向に最初上昇流となる水路
【図４】流入した水が、垂直方向に最初下降流となる水路
【符号の説明】
【００１０】      １：流入口
２：出水口
３：活性炭パイプ